(57)【要約】      （修正有）【課題】安価に製造できるナノバブルを発生させるノズルを提供する。【解決手段】樹脂により２分割に成型された部品を組み合わせることにより安価に製造できるナノバブルを発生させるノズル。液体の通る部分を狭めてから解放する部位に気体取り込み孔２を有する二流体ノズルの構造によりナノバブルを発生させる。液体が内壁と衝突して、狭められた小さな穴を通り、その際にナノバブルを発生させるナノバブル発生ノズル。【選択図】図２
2019025468.tif 000002
【特許請求の範囲】
【請求項１】
２分割された樹脂成型部品を１つに合わせて使用することを特徴とするナノバブル発生ノズル。
【請求項２】
液体の取り入れ口に片側１か所、合計２か所の入力穴があることを特徴とする請求項１に記載のナノバブル発生ノズル。
【請求項３】
入力された液体が内壁に衝突し、狭められた小さな穴を通り解放される際にナノバブルを発生させることを特徴とする請求項１または２に記載のナノバブル発生ノズル。
【請求項４】
狭められた液体の通り道の解放部に気体取り込み穴を有し、気体取り込み穴から取り込む気体を空気だけではなく酸素、オゾン、水素等の各種気体に変えることにより発生させるナノバブルを酸素ナノバブル、オゾンナノバブル、水素ナノバブル等任意の気体によるナノバブルを発生させることを特徴とする請求項１、２または３に記載のナノバブル発生ノズル。
【請求項５】
液体の取り入れ口及び出口にねじ穴を付けることにより、複数のノズルを並列または直列に組み合わせて接続できることを特徴とする請求項１、２、３、または４に記載のナノバブル発生ノズル。
【発明の詳細な説明】
【技術分野】
【０００１】  本発明は液体中でナノバブルを発生させるナノバブル発生ノズルに関する。
【背景技術】
【０００２】  近年さまざまな分野でナノバブルが活用されており、ここ数年多くの大学および民間研究所により水産、農業、医療、食品加工、精密部品洗浄、畜産排水処理等の多くの分野で数多くの成果が発表され実際に実用化され注目を浴びている。【０００３】  ナノバブルはマイクロバブルよりさらに微小な気泡で、液体中で気泡のまま溶解せずに浮遊しその期間が長期にわたることが知られている。このナノバブルを含有する液体を使用することによってさまざまな効果が期待されている。
【特許文献１】特開２００８−１１９６２３号公報
【発明の開示】
【発明が解決しようとする課題】
【０００４】  前記特許公報に記載されているナノバブル発生装置は、ナノバブルを発生させる装置が複雑かつ精密で、なおかつ耐酸性を求められるため、現在使用されているナノバブル発生ノズルは耐酸金属が使用されているので非常に高価となり、一般の方への普及を難しくしている。【０００５】  そこで本発明は２分割に成型された樹脂を使用し、１つに合わせて使用することによりナノバブルを発生させることができる構造が簡単な簡易ナノバブル発生ノズルを提供するものである。
【課題を解決するための手段】
【０００６】  本発明は上記目的を達成するために、成型が可能な樹脂を使用し、なおかつ成型が簡易になるように左右２分割となるような図１の樹脂成型部品を図２のように左右合わせて固定することによりナノバブル発生ノズルを作成し、ナノバブルを発生させることにより達成される。【０００７】  この２分割の部品を合わせたナノバブル発生ノズルには図３のように液体の取り入れ口１があり、この穴から図４のように水等が流れ込み、狭められた部分を通過して解放されるときに気体取り込み穴２から気体を取り込むことによりナノバブルが発生しナノバブル水出口３から排出されるように構成されている。【０００８】  また図５のようにタンク６からポンプ５を通してナノバブル発生ノズル４へ液体を流すことによりナノバブルが発生するが、発生したナノバブル水をタンク６へ戻し循環させることにより、より濃度の高いナノバブル水を発生させることが可能となり、より効果的に達成される。【０００９】  さらに気体取り込み穴２から取り込む気体は空気だけではなく、酸素、オゾン、水素等の気体を供給することができ、通常の空気を取り込んだナノバブル水だけではなく酸素ナノバブル水、オゾンナノバブル水、水素ナノバブル水等を発生させることが可能で、用途に合わせて供給する気体を変えることができる。
【発明の効果】
【０００９】  本発明によれば、樹脂成型部品を使用しナノバブル発生ノズルを作成することが可能となり、安価にてナノバブル発生ノズルを提供することができる。
【発明を実施するための最良の形態】
【００１０】  図１の樹脂成型部品の２つを合わせて図２のようなナノバブル発生ノズルを作成する。２つの部品を合わせる際には樹脂部品に取り付け用の穴をあけておき、左右を合わせてボルト＆ナットで固定をする。【００１１】  液体の取り入れ口１及び気体の取り込み穴２及びナノバブル水出口３のそれぞれにネジの溝を彫っておき、ホースをつなぐための金具を取り付けておく。ポンプ５とナノバブル発生ノズル４をホースまたは金具等で接続し、ポンプ５から圧力をかけた液体をナノバブル発生ノズル５へ送るとナノバブルを発生させることができる。なお、ポンプ５とナノバブル発生ノズル４との間にストレーナー等の異物を取り除く装置を取り付けておくことにより、ナノバブル発生ノズル４につまりが発生するのを防ぐことができる。【００１２】  ナノバブル水が発生されるときに、気体取り込み穴２から気体を吸い込むのだが、図６のように気体取り込み穴２にホースを接続し、その先に調節バルブ７を取り付けることにより、ナノバブルの発生量を調節することが可能である。【００１３】  図５のようにタンク６からポンプ５で吸い上げた液体をナノバブル発生ノズル４に通しナノバブルを発生させるのだが、発生したナノバブル水をタンク６に戻し循環させることにより、より濃度の高いナノバブル水を製造することが可能となる。【００１４】  図６のようにポンプ５の後に接続されるナノバブル発生ノズル４を並列に接続することにより、１つのポンプから大量のナノバブル水を生産することが可能である。【００１５】  気体取り込み穴２から供給される気体は空気のみならず、酸素、オゾン、水素等の気体を取り込むことにより、酸素ナノバブル水、オゾンナノバブル水、水素ナノバブル水等を製造することが可能であり、用途によって使い分けることができる。【００１６】  液体の取り入れ口１から取り入れる液体は、通常の水だけではなく、海水や溶液等の様々な種類の液体を通すことができ、用途に合わせて使い分けることが可能である。
【産業上の利用可能性】
【００１７】  ナノバブル水を利用することにより、農業の分野では根に潅水することにより作物の成長促進効果が報告されている。また、ナノバブルが有機物を分解する能力があることが知られており、精密部品やキッチン周りの洗浄などに利用が可能である。【００１８】  酸素ナノバブル水は微生物の培養促進、水槽の魚の成長促進及び水槽の水の浄化作用等が報告されている。【００１９】  オゾンナノバブル水はオゾンの殺菌効果により、水槽の除菌、加工食品の洗浄及び除菌等での効果が報告されている。
【図面の簡単な説明】
【００２０】
【図１】  樹脂成型部品の片側の断面図である。
【図２】  ２分割された樹脂成型部品を合わせて作成したナノバブル発生ノズルを上部から見た図である。
【図３】  ナノバブル発生ノズルの液体の取り入れ口の図である。
【図４】  液体を取り込んだ流れを表している図である。
【図５】  ナノバブル発生ノズルをポンプとタンクに接続し使用するところの図である。
【図６】  気体を取り込むための調節バルブを取り付けたナノバブル発生ノズルの図である。
【図７】  ナノバブル発生ノズルを並列に並べてポンプに接続する例の図である。
【符号の説明】
【００２１】１  液体の取り入れ口
２  気体取り込み穴
３  ナノバブル水出口
４  ナノバブル発生ノズル
５  ポンプ
６  タンク
７  調節バルブ
【図１】
2019025468.tif 000003
【図２】
2019025468.tif 000004
【図３】
2019025468.tif 000005
【図４】
2019025468.tif 000006
【図５】
2019025468.tif 000007
【図６】
2019025468.tif 000008
【図７】
2019025468.tif 000009